(57)【要約】【課題】ダンピングボックス上の作業スペースを削減することなく安全柵の回動を係止できるダンピング装置を提供する。【解決手段】水平軸まわりに回動されるダンピングボックス３と、このダンピングボックス３の前端開口を開閉する安全柵１１とを備えるダンピング装置において、安全柵１１をヒンジ２６を介して水平軸まわりに回動可能に吊り下げ、ダンピングボックス３が傾斜することによって安全柵１１がダンピングボックス３の前端開口を重力によって開閉する構成とし、安全柵１１の側部から突出した対の係止ピン３１と、ダンピングボックス３に回動可能に連結されこの係止ピン３１に係合可能とする係止フック３２と、ダンピングボックス３が水平位置から傾斜位置へと回動する動きに連動してこの係止フック３２が係止ピン３１を解放して安全柵１１が開かれるとともに、ダンピングボックス３が傾斜位置から水平位置へと回動する動きに連動して係止フック３２が係止ピン３１に係合して安全柵１１を閉位置で係止するリンク機構４０とを備える。【選択図】    図１
2004161417.tif 000002
【特許請求の範囲】
【請求項１】
プラットフォームに対して水平軸まわりに回動されるダンピングボックスと、このダンピングボックスの前端開口を開閉する安全柵とを備えるダンピング装置において、安全柵をヒンジを介して水平軸まわりに回動可能に吊り下げ、ダンピングボックスが傾斜することによって安全柵がダンピングボックスの前端開口を重力によって開閉する構成とし、前記安全柵の側部から突出した対の係止ピンと、前記ダンピングボックスに回動可能に支持されこの係止ピンに係合可能とする係止フックと、ダンピングボックスが水平位置から傾斜位置へと回動する動きに連動してこの係止フックが係止ピンを解放して安全柵が開かれるとともに、ダンピングボックスが傾斜位置から水平位置へと回動する動きに連動して係止フックが係止ピンに係合して安全柵を閉位置で係止するリンク機構とを備えたことを特徴とするダンピング装置。
【請求項２】
前記プラットフォームに対して固定して設けられるガイドを備え、前記ダンピングボックスが水平位置の近傍で回動するのに伴ってリンク機構がこのガイドに追従して前記係止フックを回動させる構成としたことを特徴とする請求項１に記載のダンピング装置。
【請求項３】
前記リンク機構は、前記ガイドに転接して追従するローラと、前記ダンピングボックスに回動可能に支持されこのローラが回転可能に連結される追従リンクと、前記係止フックと追従リンクどうしを回動可能に連結する中継リンクとを備えたことを特徴とする請求項１または２に記載のダンピング装置。
【発明の詳細な説明】
【０００１】
【発明の属する技術分野】
本発明は、ごみ処理設備にて廃棄物投入用として設けられるダンピング装置の改良に関するものである。
【０００２】
【従来の技術】
ごみ処理設備には例えば図７に示すような廃棄物投入用ダンピング装置が設けられる。このダンピング装置は、ごみピット１に近接したプラットフォーム２に廃棄物を受入れるダンピングボックス３を備え、このダンピングボックス３はその底部前端の横軸４を中心として、油圧シリンダ５により同図鎖線のごとく上下方向に回動するようになっている。
【０００３】
廃棄物の収集車Ａは、後向きでダンピングボックス３に近付き、スロープ９を乗り上げてダンピングボックス３内に進出したのち、徐々に廃棄物を落下させながら前進することにより廃棄物（ごみ）ａをダンピングボックス３内に投入する。その投入された廃棄物ａは作業者によって危険物が除去されたのち、駆動手段５を作動させることにより、ダンピングボックス３を鎖線で示すように傾動させ（ダンプさせ）、廃棄物ａをごみピット１へ投入する。ごみピット１内の廃棄物ａはグラブ式搬送装置Ｃにより焼却口へと導かれる。
【０００４】
このようなダンピング装置において、ダンピングボックス３中の作業者がごみピット１へ落下することを防止するため、ごみピット１へのごみ投入用ダンピングボックス３の前面に安全柵を備えるものがあった。
【０００５】
この種のダンピング装置として、例えば特許文献１等に開示されたものは、図８に示すように、ごみピット１へのごみ投入用ダンピングボックス３の前面に安全柵１１を設け、この安全柵１１によって作業者のごみピット１への落下を防止する。安全柵１１は、ダンピングボックス３の両側に立したの支柱１２に回動自在に支持され、ダンピングボックス３の上方に突出した係合部材１６に対向している。この係合部材１６は、鎖線のごとく、ダンピングボックス３が上方へ回動するのに伴って、安全柵１１に当接して持ち上げ、廃棄物ａの投入に支障がないようにする。
【０００６】
係合部材１６の下方には突起１９が設けられており、この突起１９の傾斜上面によってダンピングボックス３の水平時に安全柵１１が開方向に回動することが係止され、ダンピングボックス３内で作業を行う作業者が誤ってごみピット１へ転落することを防止するようになっている。
【０００７】
【特許文献１】
特開平１０−１０１２０３号公報
【０００８】
【発明が解決しようとする課題】
しかしながら、このような従来のダンピングボックス３にあっては、突起１９が底板６上から突出し、ダンピングボックス３の水平時に安全柵１１が突起１９より後方に位置して安全柵１１の回動を係止する構造のため、安全柵１１をダンピングボックス３の前端に配置することができず、その分ダンピングボックス３上の作業スペースが削減されるという問題点があった。
【０００９】
本発明は上記の問題点に鑑みてなされたものであり、ダンピングボックス上の作業スペースを削減することなく安全柵の回動を係止できるダンピング装置を提供することを目的とする。
【００１０】
【課題を解決するための手段】
第１の発明は、プラットフォームに対して水平軸まわりに回動されるダンピングボックスと、このダンピングボックスの前端開口を開閉する安全柵とを備えるダンピング装置に適用する。
【００１１】
そして、安全柵をヒンジを介して水平軸まわりに回動可能に吊り下げ、ダンピングボックスが傾斜することによって安全柵がダンピングボックスの前端開口を重力によって開閉する構成とし、前記安全柵の側部から突出した対の係止ピンと、前記ダンピングボックスに回動可能に支持されこの係止ピンに係合可能とする係止フックと、ダンピングボックスが水平位置から傾斜位置へと回動する動きに連動してこの係止フックが係止ピンを解放して安全柵が開かれるとともに、ダンピングボックスが傾斜位置から水平位置へと回動する動きに連動して係止フックが係止ピンに係合して安全柵を閉位置で係止するリンク機構とを備えるものとした。
【００１２】
第２の発明は、第１の発明において、プラットフォームに対して固定して設けられるガイドを備え、ダンピングボックスが水平位置の近傍で回動するのに伴ってリンク機構がこのガイドに追従して係止フックを回動させる構成とした。
【００１３】
第３の発明は、第１または第２の発明において、リンク機構は、ガイドに転接して追従するローラと、ダンピングボックスに回動可能に支持されこのローラが回転可能に連結される追従リンクと、係止フックと追従リンクの端部どうしを回動可能に連結する中継リンクとを備えるものとした。
【００１４】
【発明の作用および効果】
第１の発明において、ダンピング装置は安全柵を閉位置で係止する係止フックの作動がダンピングボックスの動きに連動して自動的に行われ、係止フックを操作する手間がいらない。
【００１５】
係止フック及び係止ピンをダンピングボックスを側部に配置することにより、ダンピングボックス上の作業スペースを削減しないで済む。
【００１６】
第２の発明において、ダンピングボックスが傾斜位置へと回動するのに伴って、リンク機構がガイドから離れ、安全柵が開かれる動作を干渉しない。
【００１７】
第３の発明において、リンク機構は、ローラの動きを追従リンクと中継リンクを介して二段階に増幅して係止フックの先端部に伝えることにより、係止フックの先端部のストロークを十分に確保できる。
【００１８】
【発明の実施の形態】
以下、本発明の実施の形態を添付図面に基づいて説明する。
【００１９】
図１〜図４に示すように、ごみ処理設備における廃棄物投入用ダンピング装置は、ごみピット１に近接したプラットフォーム２の凹部２１に廃棄物を受入れるダンピングボックス３を備える。このダンピングボックス３はその底部から下方に突出した対の脚２２を備え、この脚２２の下端に設けられる横軸４を中心として、油圧シリンダ（駆動手段）２３により図１に鎖線で示すように水平軸まわりに回動される。
【００２０】
プラットフォーム２の凹部２１には対のクッション架台２４が突出して設けられる。ダンピングボックス３はその底部をこのクッション付き架台２４に着座させることにより水平位置に保持される。
【００２１】
ダンピングボックス３は、底板６と、左右の側壁７と、後壁２０と、その前面を覆う安全柵１１とを備える。この安全柵１１は、ダンピングボックス３が水平位置にあるときにダンピングボックス３の前端開口を覆う閉位置にあり、ダンピングボックス３内で作業を行う作業者が誤ってごみピット１へ転落することを防止する。
【００２２】
ダンピングボックス３は、その前端開口に沿って上方に突出した対の柱２５を有する。安全柵１１はこの柱２５の上端部にヒンジ２６を介して水平軸まわりに回動可能に吊り下げられる。ダンピングボックス３が図１に鎖線で示すように傾動するのに伴って、安全柵１１は重力によりダンピングボックス３の前端開口から離れる開方向へと回動し、ダンピングボックス３上の廃棄物がごみピット１内へと滑り落ちて投入される。
【００２３】
ダンピング装置は、図４、図５に示すように、安全柵１１の左右側部から左右方向に突出した対の係止ピン３１と、この係止ピン３１に係合するようにカギ状をした対の係止フック３２と、この係止フック３２をダンピングボックス３が傾斜位置から水平位置へと回動する動きに連動させて係止ピン３１に係合させる対のリンク機構４０とを備える。このリンク機構４０は係止フック３２をダンピングボックス３が水平位置にあるときに係止ピン３１に係合させる一方、ダンピングボックス３が水平位置から傾斜位置へと回動するのに伴って係止ピン３１との係合を解除させる。
【００２４】
各リンク機構４０は、ダンピングボックス３に固定される支持プレート４１と、係止フック３２を支持プレート４１に回動可能に支持する支持軸３３と、プラットフォーム２上に固定して設けられるガイド３９と、このガイド３９に転接して追従するローラ３８と、このローラ３８が回転可能に連結される追従リンク３７と、この追従リンク３７を支持プレート４１に回動可能に支持する支持軸３６と、係止フック３２と追従リンク３７の端部どうしを各連結軸３４，３５を介して回動可能に連結する中継リンク３０とを備える。各リンク機構４０は、ローラ３８の動きを追従リンク３７と中継リンク３０を介して二段階に増幅して係止フック３２の先端部に伝えることにより、係止フック３２の先端部のストロークを確保するようになっている。
【００２５】
支持プレート４１には係止フック３２を挟んでピン４５，４６が固定して設けられる。係止フック３２の回動範囲はこのピン４５，４６を介して規制され、ダンピングボックス３が水平位置の近傍に来たときにローラ３８がガイド３９に当たるようになっている。
【００２６】
図５にも示すように、ガイド３９はプラットフォーム２上に突出して設けられる下側ガイド部材４２と、この下側ガイド部材４２に締結される上側ガイド部材４３との間に形成される。後述するように、ダンピングボックス３が水平位置の近くで回動するとき、ローラ３８が下側ガイド部材４２と上側ガイド部材４３間の溝部分に入ってリンク機構４０を動かすようになっている。
【００２７】
上側ガイド部材４３のガイド３９を形成する面は略水平に延び、下側ガイド部材４２のガイド３９を形成する面は略水平に延びる部位とローラ３８をガイド３９に導くように傾斜する部位とを有する。これにより、ダンピングボックス３が傾斜位置から水平位置へと回動するのに伴って、ローラ３８が下側ガイド部材４２と上側ガイド部材４３間の溝部分に入るように案内される。
【００２８】
次にダンピング装置の動作について説明する。
【００２９】
図６の▲１▼に示すように、ダンピングボックス３が水平位置にあるとき、支持プレート４１を介してダンピングボックス３に固定された追従リンク３７も水平位置にあるため、これにリンクされた係止フック３２は係止ピン３１に係合している。よって、安全柵１１が開方向に回動することが係止され、ダンピングボックス３内で作業を行う作業者が誤ってごみピット１へ転落することを防止する。
【００３０】
図６の▲２▼▲３▼に示すように、ダンピングボックス３が水平位置から傾斜位置へと傾き始めると、追従リンク３７がローラ３８を介してガイド３９に沿って押されるとともに、支持軸３６を中心に回動する。すると、係止フック３２がリンク機構４０を介して回動し、係止フック３２が係止ピン３１との係合を解除する。
【００３１】
図６の▲４▼▲５▼に示すように、ダンピングボックス３の傾斜が次第に大きくなると、係止フック３２と係止ピン３１との係合が解除された安全柵１１は重力によりダンピングボックス３の前端開口から離れる開方向へと回動し、ダンピングボックス３上の廃棄物がごみピット１内へと滑り落ちて投入される。このとき、追従リンク３７のローラ３８はガイド３９から離れているので、上記した安全柵１１が開かれる動作を干渉しない。
【００３２】
逆にダンピングボックス３が傾斜位置から水平位置へと回動するとき、ダンピング装置は図６の▲５▼〜▲１▼の順に作動し、安全柵１１がダンピングボックス３に近づくのに伴って追従リンク３７がローラ３８を介して再びガイド３９に挿入される。したがって、係止フック３２がリンク機構４０を介して回動し、係止フック３２が係止ピン３１に係合する。
【００３３】
以上のように構成されて、ダンピング装置は安全柵１１を閉位置で係止する係止フック３２の作動がダンピングボックス３の動きに連動して自動的に行われ、係止フック３２を操作する手間がいらない。
【００３４】
係止フック３２及び係止ピン３１はダンピングボックス３を側部に配置されることによりダンピングボックス３上の作業スペースを削減しないで済む。
【００３５】
本発明は上記の実施の形態に限定されずに、その技術的な思想の範囲内において種々の変更がなしうることは明白である。
【図面の簡単な説明】
【図１】本発明の実施の形態を示すダンピング装置の側面図。
【図２】同じくダンピング装置の平面図。
【図３】同じく図１のＡ−Ａ線に沿う断面図。
【図４】同じく図５のＢ−Ｂ線に沿う安全柵及びリンク機構等の側面図。
【図５】同じく安全柵及びリンク機構等の断面図。
【図６】同じく安全柵及びリンク機構等の動作を示す側面図。
【図７】従来例を示すダンピング装置の側面図。
【図８】同じく安全柵の動作を示す側面図。
【符号の説明】
１  ごみピット
３  ダンピングボックス
１１  安全柵
３０  中継リンク
３１  係止ピン
３２  係止フック
３７  追従リンク
３８  ローラ
４０  リンク機構
３９  ガイド
【図１】
2004161417.tif 000003
【図２】
2004161417.tif 000004
【図３】
2004161417.tif 000005
【図４】
2004161417.tif 000006
【図５】
2004161417.tif 000007
【図６】
2004161417.tif 000008
【図７】
2004161417.tif 000009
【図８】
2004161417.tif 000010